(57)【特許請求の範囲】
【請求項１】
一群の発光ダイオードを有する光源部と、
前記一群の発光ダイオードに点灯電力を供給する電源回路部と、
前記光源部及び前記電源回路部が設けられる回路基板とを備え、
前記光源部は、前記回路基板における周辺部の領域である外側領域に設けられ、
前記電源回路部は、前記外側領域よりも内側の領域である内側領域に設けられ、
前記外側領域は、前記回路基板の周方向において交互に隣り合う複数の第１領域と複数の第２領域とで構成され、前記複数の第１領域の各々には、前記一群の発光ダイオードのうち複数個が第１発光ダイオードとして配置され、前記複数の第２領域の各々には、前記一群の発光ダイオードのうち複数個が第２発光ダイオードとして配置され、
前記第１領域及び前記第２領域はそれぞれ、前記回路基板の外側端面の一部を含み、
前記外側端面のうち前記第１領域に含まれる領域から前記回路基板の中心部までの距離のうち、最小距離と最大距離との差を第１距離差とし、
前記外側端面のうち前記第２領域に含まれる領域から前記中心部までの距離のうち、最小距離と最大距離との差を第２距離差とし、
前記第１距離差は、前記第２距離差よりも小さい
ことを特徴とする照明器具。
【請求項２】
前記外側領域は、４つの前記第１領域と４つの前記第２領域とで構成され、
前記第１領域は、曲線状の領域であり、
前記第２領域は、直線状の領域である
ことを特徴とする請求項１記載の照明器具。
【請求項３】
前記第１領域は、前記中心部を中心とした円弧状の領域である
ことを特徴とする請求項２記載の照明器具。
【請求項４】
前記電源回路部を覆う電源カバーをさらに備える
ことを特徴とする請求項１〜３のいずれか１項に記載の照明器具。
【発明の詳細な説明】
【技術分野】
【０００１】
本発明は、一般に照明器具、より詳細には発光ダイオードに点灯電力を供給する電源回路部を備える照明器具に関する。
【背景技術】
【０００２】
従来、天井に取り付けられ、発光ダイオードに点灯電力を供給する電源回路部を備える照明器具が知られている（例えば特許文献１参照）。特許文献１に記載の照明器具は、器具本体の中央部に給電部、点灯回路（電源回路部）が設けられ、外側にＬＥＤ（発光ダイオード）が同心円状に配置されている。
【先行技術文献】
【特許文献】
【０００３】
【特許文献１】特開２０１４−１５４４６１号公報
【発明の概要】
【発明が解決しようとする課題】
【０００４】
特許文献１に記載の照明器具は、発光ダイオードが同心円状に配置されているため、発光ダイオードが設けられる基板が円環状に形成されている。一般に、基板は、母材である矩形板状の基板シートを複数に分割することで構成される。したがって、基板が円環状である場合、１つの基板シートから得られる基板の取り数が低減し、コストが増加するという問題があった。
【０００５】
本発明は、上記事由に鑑みてなされており、その目的は、コストの低減を図る照明器具を提供することにある。
【課題を解決するための手段】
【０００６】
本発明の照明器具は、一群の発光ダイオードを有する光源部と、前記一群の発光ダイオードに点灯電力を供給する電源回路部と、前記光源部及び前記電源回路部が設けられる回路基板とを備え、前記光源部は、前記回路基板における周辺部の領域である外側領域に設けられ、前記電源回路部は、前記外側領域よりも内側の領域である内側領域に設けられ、前記外側領域は、前記回路基板の周方向において交互に隣り合う複数の第１領域と複数の第２領域とで構成され、前記複数の第１領域の各々には、前記一群の発光ダイオードのうち複数個が第１発光ダイオードとして配置され、前記複数の第２領域の各々には、前記一群の発光ダイオードのうち複数個が第２発光ダイオードとして配置され、前記第１領域及び前記第２領域はそれぞれ、前記回路基板の外側端面の一部を含み、前記外側端面のうち前記第１領域に含まれる領域から前記回路基板の中心部までの距離のうち、最小距離と最大距離との差を第１距離差とし、前記外側端面のうち前記第２領域に含まれる領域から前記中心部までの距離のうち、最小距離と最大距離との差を第２距離差とし、前記第１距離差は、前記第２距離差よりも小さいことを特徴とする。
【発明の効果】
【０００７】
本発明では、コストの低減を図るという効果がある。
【図面の簡単な説明】
【０００８】
【図１】実施形態における照明器具の分解斜視図である。
【図２】実施形態におけるグローブ、及びアダプタを省略した照明器具の下面図である。
【図３】実施形態における回路基板の下面図である。
【図４】実施形態における電源カバーが取り付けられた回路基板の下面図である。
【図５】実施形態における照明器具の図２のＡ−Ａ断面図である。
【図６】実施形態における照明器具の図２のＢ−Ｂ断面図である。
【発明を実施するための形態】
【０００９】
以下、本発明の実施の形態を図面に基づいて説明する。なお、下記の実施形態において説明する各図は模式的な図であり、各構成要素の大きさや厚さそれぞれの比が必ずしも実際の寸法比を反映しているとは限らない。
【００１０】
（実施形態）
本実施形態の照明器具１の分解斜視図を図１、下面図を図２に示す。本実施形態の照明器具１は、発光ダイオード５１を光源とし天井９に取り付けられる照明器具であり、器具本体２、回路基板３、光源部５、電源回路部４、電源カバー６、光源カバー７、及びグローブ１６を主構成とする。以下に、本実施形態の照明器具１の構成について、詳細に説明する。なお、本実施形態では、照明器具１に対して天井９側を上方向、床側を下方向として説明する。
【００１１】
天井９には、照明器具１を支持し、かつ照明器具１に電源供給する電源ソケットである引掛シーリングローゼット９１が設けられている。照明器具１は、引掛シーリングローゼット９１に対して電気的、及び機械的に接続される円柱状のアダプタ１１を備えている。
【００１２】
器具本体２は、例えば金属製である。器具本体２は、例えば円盤状に形成されており、略中央部にはアダプタ１１を通す円形の貫通孔２１が設けられている。器具本体２の下面（天井９に対向する面に対して反対側の面）には、扁平の固定部材１２がビス等を用いて固定されている。固定部材１２は、器具本体２の貫通孔２１と略同径の貫通孔１２１を有する円筒部１２２と、円筒部１２２の上端に形成されたフランジ１２３とを備えている。そして、固定部材１２は、円筒部１２２の貫通孔１２１が器具本体２の貫通孔２１と略同心となるように、フランジ１２３が器具本体２の下面にビス等を用いて固定される。また、アダプタ１１は、外周面（外側面）の一部から突出した２つの引掛爪１１１が設けられている。２つの引掛爪１１１それぞれは、アダプタ１１の外周面から互いに反対向きに突出している。これにより、作業者が、器具本体２の貫通孔２１にアダプタ１１を通すように天井９に向かって器具本体２を押し上げることで、アダプタ１１の引掛爪１１１が固定部材１２の円筒部１２２の下端部に引っ掛かり、器具本体２が天井９に固定される。また、器具本体２の上面には、弾性を有するパッキン１３が設けられている。パッキン１３は、エステル系のポリウレタンフォームで構成される。このパッキン１３が、器具本体２と天井９とで挟み込まれることで、器具本体２を天井９に固定した際における器具本体２のがたつき等が抑制される。
【００１３】
固定部材１２の下側には、アダプタ１１を保護する保護カバー１５が設けられている。保護カバー１５は、内径が固定部材１２の外径と略同径の貫通孔１５１を有する円筒部１５２と、円筒部１５２の上端に形成されたフランジ１５３とを備えている。そして、保護カバー１５は、円筒部１５２の貫通孔１５１が器具本体２の貫通孔２１と略同心となるように、フランジ１５３が器具本体２の下面にビス等を用いて固定される。これにより、アダプタ１１は、下面のみが露出するように保護カバー１５によって囲われ、保護カバー１５によって保護がされる。
【００１４】
器具本体２の下面には、光源部５及び電源回路部４が設けられた回路基板３が取り付けられている。図３に示すように、回路基板３は、角が円弧状に湾曲した略矩形板状に形成されており、略中央部には保護カバー１５を通す略円形の貫通孔３１が設けられている。具体的には、回路基板３の外側端面３２は、４つの平坦面３２１と４つの円弧面３２２とが交互に隣り合うことで構成されている。また、回路基板３の下面の領域は、外側領域３３と内側領域３４と中間領域３５とで構成されている。図３において、外側領域３３、内側領域３４、及び中間領域３５それぞれの境界を二点鎖線で示す。外側領域３３は、回路基板３における周辺部の領域である。なお、本実施形態における「回路基板３における周辺部の領域」とは、回路基板３における縁側の領域であり、本実施形態では回路基板３の外側端面３２に沿って設けられた略矩形の環状の領域である。内側領域３４は、外側領域３３よりも内側において貫通孔３１の縁に沿って設けられた円環状の領域である。中間領域３５は、外側領域３３と内側領域３４との間の領域である。
【００１５】
内側領域３４には、電源回路部４が設けられている。電源回路部４は、複数の回路素子４１（例えば、抵抗、コンデンサ、インダクタ、スイッチング素子等）、及び複数の回路素子４１それぞれを電気的に接続する導体を備えて構成されている。なお、電源回路部４の導体は、プリント基板である回路基板３の導体の一部で構成されている。電源回路部４は、電源ケーブルの一端が接続されるコネクタを備えている。電源ケーブルは、一端が電源回路部４に電気的に接続され、他端がアダプタ１１に電気的に接続される。これにより、電源回路部４は、電源ケーブルを介してアダプタ１１と電気的に接続され、アダプタ１１を介して供給される電力から光源部５が備える一群の発光ダイオード５１を点灯させる点灯電力を生成する。また、内側領域３４には、照明器具１の操作器であるリモートコントローラからの赤外線信号を受光する受光部４２が設けられている。回路基板３の内側領域３４にはケース４３が設けられており、受光部４２は、平面視（下面視）におけるケース４３の開口部４４の内側に配置されている（図４参照）。
【００１６】
外側領域３３には、光源部５が設けられている。光源部５は、一群の発光ダイオード５１、及び一群の発光ダイオード５１それぞれを電気的に接続する導体を備えて構成されている。発光ダイオード５１は、例えば発光色が白色であり、表面実装型の発光ダイオードである。なお、発光ダイオード５１の発光色は、白色に限定する趣旨ではなく、例えば電球色などであってもよい。また、光源部５の導体は、プリント基板である回路基板３の導体の一部で構成されている。光源部５を構成する一群の発光ダイオード５１は、外側領域３３において、回路基板３の周方向（回路基板３の外側端面３２に沿った方向）に並べて環状に配置されている。本実施形態では、一群の発光ダイオード５１は、二重の環状となるように配置されている。
【００１７】
また、外側領域３３は、回路基板３の周方向において交互に隣り合う４つの第１領域３３１と４つの第２領域３３２とで構成されており、４つの第１領域３３１及び４つの第２領域３３２それぞれに複数個の発光ダイオード５１が配置されている。図３において、第１領域３３１と第２領域３３２との境界を二点鎖線で示す。以降、第１領域３３１に配置された発光ダイオード５１を第１発光ダイオード５１１、第２領域３３２に配置された発光ダイオード５１を第２発光ダイオード５１２という。
【００１８】
第１領域３３１のそれぞれは、回路基板３の中心部３０を中心とした円弧状（曲線状）の領域であり、回路基板３の外側端面３２における円弧面３２２に沿って設けられている。なお、「回路基板３の中心部３０」とは、回路基板３と、回路基板３に設けられた貫通孔３１とを合わせた領域における中心位置であり、本実施形態では、貫通孔３１の中心位置を示す。そして、第１領域３３１のそれぞれには、複数個の第１発光ダイオード５１１が回路基板３の周方向において円弧状に並べて配置されている。
【００１９】
第２領域３３２のそれぞれは、直線状の領域であり、回路基板３の外側端面３２における平坦面３２１に沿って設けられている。そして、第２領域３３２のそれぞれには、複数個の第２発光ダイオード５１２が回路基板３の周方向において直線状に並べて配置されている。
【００２０】
すなわち、外側領域３３は、円弧状に形成された４つの第１領域３３１と、直線状に形成された４つの第２領域３３２とで、角が円弧状に湾曲した略矩形の環状に形成されている。そして、光源部５を構成する一群の発光ダイオード５１が、角が円弧状に湾曲した略矩形の環状に配置されている。
【００２１】
ここで、第１領域３３１に配置された複数個の第１発光ダイオード５１１それぞれから、回路基板３の中心部３０までの距離のうち、最小距離と最大距離との差を第１距離差とする。すなわち、第１距離差は、回路基板３の中心部３０から最も近い第１発光ダイオード５１１、及び回路基板３の中心部３０から最も遠い第１発光ダイオード５１１それぞれから、回路基板３の中心部３０までの距離の差分である。
【００２２】
また、第２領域３３２に配置された複数個の第２発光ダイオード５１２それぞれから、回路基板３の中心部３０までの距離のうち、最小距離と最大距離との差を第２距離差とする。すなわち、第２距離差は、回路基板３の中心部３０から最も近い第２発光ダイオード５１２、及び回路基板３の中心部３０から最も遠い第２発光ダイオード５１２それぞれから、回路基板３の中心部３０までの距離の差分である。
【００２３】
第１領域３３１は、回路基板３の中心部３０を中心とした円弧状の領域であり、第２領域３３２は、直線状の領域であるので、第１距離差は、第２距離差よりも小さくなる。また、外側領域３３は、交互に隣り合う４つの第１領域３３１と４つの第２領域３３２とで、角が円弧状に湾曲した略矩形の環状に形成されている。したがって、第１領域３３１に配置された複数個の第１発光ダイオード５１１それぞれから中心部３０までの距離の平均値は、第２領域３３２に配置された複数個の第２発光ダイオード５１２それぞれから中心部３０までの距離の平均値よりも大きくなる。
【００２４】
また、回路基板３には、電源回路部４を覆う電源カバー６と、透光性を有し光源部５を覆う光源カバー７とが設けられている。
【００２５】
電源カバー６は、金属製であるのが好ましい。電源カバー６は、上面が開口した鉢状に形成されており、上端部にフランジ６１を有する。そして、電源カバー６は、回路基板３の内側領域３４と外側領域３３との間の中間領域３５にフランジ６１が対向し、電源回路部４を構成する複数の回路素子４１と接触しないように電源回路部４を下側から覆うようにして設けられている。また、電源カバー６は、アダプタ１１の下面を露出させるように底壁に貫通孔６２が設けられている。これにより、作業者は、貫通孔６２を介して電源ケーブルの端部をアダプタ１１に接続しやすくなる。また、電源カバー６は、内側領域３４に設けられたケース４３を避けるように切欠部６３が設けられている。これにより、金属製の電源カバー６によって受光部４２が覆われることが防止される。
【００２６】
光源カバー７は、略中央部に電源カバー６を通す貫通孔７１が設けられた円盤状に形成されている。光源カバー７は、底壁から上に向かって突出して形成された４つのスペーサ７２によって光源カバー７の底壁の上面と回路基板３との間隔が確保され、発光ダイオード５１と接触しないように光源部５を下側から覆うように設けられる（図２，６参照）。また、光源カバー７は、貫通孔７１の縁から突出しケース４３を覆う受光カバー部７３が一体に設けられている。受光カバー部７３は、リモートコントローラの赤外線信号を透過させる材質で構成されており、受光部４２は、受光カバー部７３を介してリモートコントローラからの赤外線信号を受光することができる。
【００２７】
次に、回路基板３、電源カバー６、光源カバー７それぞれを位置決め及び固定するための構成について説明する。
【００２８】
回路基板３の位置決めは、回路基板３の外側端面３２に設けられた切欠部３６と、器具本体２に設けられた凸部２２（図１参照）とでなされる。回路基板３の外側端面３２において、互いに対向する一対の平坦面３２１それぞれに円弧状の切欠部３６が設けられている。また、器具本体２には、下に向かって突出した扁平な円柱状の一対の凸部２２が設けられている。そして、回路基板３の一対の切欠部３６それぞれが、器具本体２の凸部２２に嵌め込まれることで、回路基板３と器具本体２との位置決めがなされる。
【００２９】
電源カバー６の位置決めは、フランジ６１に設けられた凸部６４と、回路基板３に設けられた位置決め孔３７とでなされる（図５参照）。フランジ６１には、上に向かって突出した半球状の４つの凸部６４が設けられている。また、回路基板３には、内側領域３４と外側領域３３との間の中間領域３５に、円状に貫通した４つの位置決め孔３７が設けられている。そして、電源カバー６のフランジ６１に設けられた４つの凸部６４それぞれが、回路基板３の位置決め孔３７に嵌め込まれることで、電源カバー６と回路基板３との位置決めがなされる。
【００３０】
光源カバー７の位置決めは、スペーサ７２に設けられた凸部７４と、回路基板３に設けられた位置決め孔３８とでなされる（図６参照）。光源カバー７が備える４つのスペーサ７２のうち２つには、先端（上端）から上に向かって突出して形成された凸部７４が設けられている。また、回路基板３には、外側領域３３に、円状に貫通した２つの位置決め孔３８が設けられている。また、器具本体２には、回路基板３の位置決め孔３８それぞれと対向する位置に凹部２３が設けられている。そして、光源カバー７のスペーサ７２に設けられた凸部７４それぞれが、回路基板３の位置決め孔３８に嵌め込まれることで、光源カバー７と回路基板３との位置決めがなされる。
【００３１】
また、光源カバー７は、電源カバー６のフランジ６１と対向するフランジ７５を有している。そして、光源カバー７のフランジ７５、電源カバー６のフランジ６１、回路基板３の中間領域３５、及び器具本体２には、それぞれ、挿通孔７６、挿通孔６５、挿通孔３９、及びねじ孔２４（図５参照）が４つずつ設けられている。そして、ビス８が、挿通孔７６、挿通孔６５、及び挿通孔３９に挿通し、ねじ孔２４に結合することで、回路基板３と電源カバー６と光源カバー７とが器具本体２に固定される。具体的には、ビス８は、いわゆる半ねじであり、頭部８１とフランジ８２と軸部８３と結合部８４とで構成されている。フランジ８２は、頭部８１の上端に設けられている。軸部８３は、頭部８１の上面から突出した円柱である。結合部８４は、軸部８３の上端から突出した円柱であり、周面にねじ溝が設けられている。また、結合部８４の径は、軸部８３の径よりも小さい。そして、ビス８が挿通孔７６、挿通孔６５、及び挿通孔３９を通してねじ孔２４に結合される。これにより、ビス８の軸部８３の上端と器具本体２とで、電源カバー６及び回路基板３が挟み込まれ、回路基板３及び電源カバー６が器具本体２に固定される。さらに、ビス８のフランジ８２と器具本体２とで、回路基板３及び光源カバー７が挟み込まれ、光源カバー７が器具本体２に固定される。ビス８の軸部８３の上端が電源カバー６に接触し、結合部８４が器具本体２に接触することで、金属製のビス８を介して電源カバー６と器具本体２とが電気的に接続される。また、フランジ８２の上面には、セレートが設けられており、フランジ８２が光源カバー７に接触することで、ビス８の緩み止めがなされる。
【００３２】
また、器具本体２の下面には、３つの取付部材１４が設けられており、この取付部材１４を介してドーム状のグローブ１６が器具本体２に取り付けられる。
【００３３】
上述したように、本実施形態の照明器具１は、一群の発光ダイオード５１を有する光源部５と、光源部５に点灯電力を供給する電源回路部４と、光源部５及び電源回路部４が設けられる回路基板３とを備える。光源部５は、回路基板３における周辺部の領域である外側領域３３に設けられる。電源回路部４は、外側領域３３よりも内側の領域である内側領域３４に設けられる。外側領域３３は、回路基板３の周方向において交互に隣り合う複数の第１領域３３１と複数の第２領域３３２とで構成される。複数の第１領域３３１の各々には、光源部５を構成する一群の発光ダイオード５１のうち複数個が第１発光ダイオード５１１として配置される。複数の第２領域３３２の各々には、光源部５を構成する一群の発光ダイオード５１のうち複数個が第２発光ダイオード５１２として配置される。複数個の第１発光ダイオード５１１それぞれから回路基板３の中心部３０までの距離のうち、最小距離と最大距離との差を第１距離差とする。複数個の第２発光ダイオード５１２それぞれから回路基板３の中心部３０までの距離のうち、最小距離と最大距離との差を第２距離差とする。そして、第１距離差は、第２距離差よりも小さい。
【００３４】
また、外側領域３３は、４つの第１領域３３１と４つの第２領域３３２とで構成され、第１領域３３１は、曲線状の領域であり、第２領域３３２は、直線状の領域である。また、第１領域３３１は、回路基板３の中心部３０を中心とした円弧状の領域である。
【００３５】
上記構成により、一群の発光ダイオード５１が配置される外側領域３３は、角が円弧状に湾曲した略矩形の環状に形成され、回路基板３も、角が円弧状に湾曲した略矩形状にすることが可能となる。一般に、回路基板３は、母材である矩形板状の基板シートを複数に分割することで構成される。本実施形態の回路基板３は、外側端面３２が４つの平坦面３２１と４つの円弧面３２２とが交互に隣り合う略矩形状に形成されている。したがって、基板シートの余剰部位が少なくなるので、１つの基板シートから得られる回路基板３の取り数の低減が抑制され、コストの低減を図ることが可能となる。また、工場において基板シートから回路基板３を取り出すための加工時間の短縮、及び基板シートのサイズの小型化が可能となる。
【００３６】
さらに、回路基板３において光源部５が設けられる外側領域３３は、回路基板３の周方向において交互に隣り合う複数の第１領域３３１と複数の第２領域３３２とで構成されている。第１領域３３１及び第２領域３３２は、第１距離差が第２距離差よりも小さくなるように構成されている。したがって、第１領域３３１に配置された複数の第１発光ダイオード５１１それぞれから中心部３０までの距離の平均値は、第２領域３３２に配置された複数の第２発光ダイオード５１２それぞれから中心部３０までの距離の平均値よりも大きくなる。これにより、回路基板３の中心部３０から離れた位置にある第１領域３３１に配置された第１発光ダイオード５１１が照射する光が、内側領域３４に設けられた電源カバー６によって遮られることが抑制される。したがって、グローブ１６の照射面における輝度むらの低減が可能となる。
【００３７】
ここで、円環状の回路基板に複数の発光ダイオードを円環状に配置した構成を第１比較例とする。第１比較例の回路基板は、円環状であるので、基板シートの余剰部位が多くなる。したがって、１つの基板シートから得られる第１比較例の回路基板の取り数は、本実施形態の回路基板３の取り数よりも低減し、基板シートのサイズも大型化するためコストが増加する。
【００３８】
また、基板シートから回路基板の取り数を考慮して、角が直角に形成された矩形の回路基板に、角が直角の矩形の環状に一群の発光ダイオードを配置した構成を第２比較例とする。第２比較例では、回路基板の角付近に配置された発光ダイオードから回路基板の中心部までの距離が遠く、グローブの照射面における中央部付近が暗くなる。したがって、第２比較例は、本実施形態の照明器具１よりもグローブ１８の照射面における輝度むらが大きくなる。
【００３９】
また、本実施形態では、電源回路部４が設けられる内側領域３４は円形に形成され、光源部５が設けられる外側領域３３は略矩形に形成されており、内側領域３４と外側領域３３との間に中間領域３５が設けられている。そして、この中間領域３５に、回路基板３を器具本体２に固定するためのビス８が挿通する挿通孔３９が設けられている。したがって、回路基板３上のスペースを有効に活用することができる。
【００４０】
また、本実施形態では、一群の発光ダイオード５１を有する光源部５と、光源部５に点灯電力を供給する電源回路部４とが、同一の回路基板３に設けられる。したがって、本実施形態では、複数の基板、基板同士を接続する接続線が不要となるので、部品点数の削減が可能となる。
【００４１】
また、第１発光ダイオード５１１は、電源回路部４から離れて配置されるため、第１発光ダイオード５１１及び電源回路部４の温度上昇の抑制が可能となる。
【００４２】
また、本実施形態の照明器具１は、電源回路部４を覆う電源カバー６をさらに備える。上記構成により、電源回路部４からノイズが放射された場合であっても、電源カバー６によってノイズを抑制することが可能となる。また、電源回路部４を構成する回路素子４１に作業者が触れることが防止され、安全性が向上する。
【００４３】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００４４】
１  照明器具
３  回路基板
３３  外側領域
３３１  第１領域
３３２  第２領域
３４  内側領域
４  電源回路部
５  光源部
５１  発光ダイオード
５１１  第１発光ダイオード
５１２  第２発光ダイオード
６  電源カバー
【図１】
0006573194.tif 000002
【図２】
0006573194.tif 000003
【図３】
0006573194.tif 000004
【図４】
0006573194.tif 000005
【図５】
0006573194.tif 000006
【図６】
0006573194.tif 000007